(57)【要約】【課題】従来技術においては、例えば、保守点検時の作業性向上の点でさらなる改善の余地がある。【解決手段】実施形態のエレベータ用保守点検装置は、切替操作部材と、表示装置と、制御装置とを備える。切替操作部材は、かご操作盤の内部、又は、乗場操作盤の内部に設けられる。切替操作部材は、エレベータの通常モードと作業モードとを切り替え可能である。表示装置は、乗場に設けられ、階床表示を行う。制御装置は、前記切替操作部材によって前記通常モードから前記作業モードに切り替えられた際に、前記表示装置を制御し前記階床表示から作業中表示に切り替える。また、制御装置は、前記切替操作部材によって前記作業モードから前記通常モードに切り替えられた際に、前記表示装置を制御し前記作業中表示から前記階床表示に切り替える。【選択図】図４
2015044673.tif 000002
【特許請求の範囲】
【請求項１】
エレベータの乗りかご内に設置されるかご操作盤の内部、又は、乗場に設置される乗場操作盤の内部に設けられ、前記エレベータの通常運転を行う通常モードと前記エレベータの保守点検を行う際に選択される作業モードとを切り替え可能である切替操作部材と、
前記乗場に設けられ、階床表示を行う表示装置と、
前記切替操作部材によって前記通常モードから前記作業モードに切り替えられた際に、前記表示装置を制御し前記階床表示から作業中表示に切り替えると共に、前記切替操作部材によって前記作業モードから前記通常モードに切り替えられた際に、前記表示装置を制御し前記作業中表示から前記階床表示に切り替える制御装置とを備え、
前記制御装置は、前記作業中表示を、前記階床表示とは異なる表示態様とし、
さらに、前記制御装置は、監視センタに接続されており、前記切替操作部材によって前記通常モードから前記作業モードに切り替えられた際に、当該監視センタに前記作業モードである旨を発報し、前記切替操作部材によって前記作業モードから前記通常モードに切り替えられた際に、当該監視センタに前記通常モードである旨を発報することを特徴とする、
エレベータ用保守点検装置。
【発明の詳細な説明】
【技術分野】
【０００１】
本発明の実施形態は、エレベータ用保守点検装置に関する。
【背景技術】
【０００２】
従来、エレベータは、昇降路内を乗りかご（かご）が移動することにより、乗りかごを任意の階床に移動させる。このようなエレベータでは、例えば、作業員が保守点検作業を行うために種々のエレベータ用保守点検装置が適用される場合がある。
【先行技術文献】
【特許文献】
【０００３】
【特許文献１】特開平４−３６５７６３号公報
【発明の概要】
【発明が解決しようとする課題】
【０００４】
ところで、従来技術においては、例えば、保守点検時の作業性向上の点でさらなる改善の余地がある。
【課題を解決するための手段】
【０００５】
実施形態のエレベータ用保守点検装置は、切替操作部材と、表示装置と、制御装置とを備える。切替操作部材は、エレベータの乗りかご内に設置されるかご操作盤の内部、又は、乗場に設置される乗場操作盤の内部に設けられる。切替操作部材は、前記エレベータの通常運転を行う通常モードと前記エレベータの保守点検を行う際に選択される作業モードとを切り替え可能である。表示装置は、前記乗場に設けられ、階床表示を行う。制御装置は、前記切替操作部材によって前記通常モードから前記作業モードに切り替えられた際に、前記表示装置を制御し前記階床表示から作業中表示に切り替える。また、制御装置は、前記切替操作部材によって前記作業モードから前記通常モードに切り替えられた際に、前記表示装置を制御し前記作業中表示から前記階床表示に切り替える。また、前記制御装置は、前記作業中表示を、前記階床表示とは異なる表示態様とする。さらに、前記制御装置は、監視センタに接続されており、前記切替操作部材によって前記通常モードから前記作業モードに切り替えられた際に、当該監視センタに前記作業モードである旨を発報する。また、前記制御装置は、前記切替操作部材によって前記作業モードから前記通常モードに切り替えられた際に、当該監視センタに前記通常モードである旨を発報する。
【図面の簡単な説明】
【０００６】
【図１】図１は、実施形態に係るエレベータの概略構成例を示すブロック図である。
【図２】図２は、実施形態に係るかご操作盤の一例を示す正面図である。
【図３】図３は、実施形態に係る乗場操作盤の一例を示す正面図である。
【図４】図４は、実施形態に係るエレベータ用保守点検装置の概略構成例を示す模式図である。
【図５】図５は、実施形態に係る表示装置における作業中表示の一例を示す正面図である。
【図６】図６は、実施形態に係るエレベータ用保守点検装置における制御の一例を説明するフローチャートである。
【発明を実施するための形態】
【０００７】
［実施形態］
図１は、実施形態に係るエレベータの概略構成例を示すブロック図である。図２は、実施形態に係るかご操作盤の一例を示す正面図である。図３は、実施形態に係る乗場操作盤の一例を示す正面図である。図４は、実施形態に係るエレベータ用保守点検装置の概略構成例を示す模式図である。図５は、実施形態に係る表示装置における作業中表示の一例を示す正面図である。図６は、実施形態に係るエレベータ用保守点検装置における制御の一例を説明するフローチャートである。
【０００８】
本実施形態に係るエレベータ用保守点検装置１００は、図１に示すようなエレベータ１に適用される。エレベータ１は、乗りかご２が昇降路７内を昇降することで任意の目的階の乗場６に移動することができるものである。エレベータ１は、乗りかご２、カウンタウェイト３、メインロープ４、巻上機５、制御装置１０等を含んで構成される。エレベータ１は、乗りかご２とカウンタウェイト３とをメインロープ４で連結したいわゆるつるべ式のエレベータである。エレベータ１は、乗場６が設けられる。
【０００９】
乗りかご２は、建物に設けられた昇降路７を昇降可能である。乗りかご２は、かご操作盤８等を含んで構成される。かご操作盤８は、乗りかご２の内部に設けられる。かご操作盤８は、利用者による操作入力に応じていわゆるかご呼び登録等を行う。かご操作盤８は、いわゆるＣＯＰ（Ｃａｒ  Ｏｐｅｒａｔｉｏｎ  Ｐａｎｅｌ）を構成する。かご操作盤８は、例えば、図２に例示するように、鉛直方向上側から順に、かご呼び登録ボタン８ａ、扉開ボタン８ｂ及び扉閉ボタン８ｃ、スイッチボックス８ｄ等が設けられる。かご呼び登録ボタン８ａは、「行先階」を表すボタン等からなり利用者によるかご呼び登録操作を受け付けるものである。扉開ボタン８ｂ、扉閉ボタン８ｃは、エレベータ１の扉１１の「開」、「閉」等に対応し利用者による扉開放操作、扉閉鎖操作を受け付けるものである。スイッチボックス８ｄは、エレベータ１の乗りかご２における各種スイッチ等を収納するものである。ここでは、かご操作盤８は、かご呼び登録ボタン８ａの鉛直方向上側に表示装置１２が組み込まれている。表示装置１２は、乗りかご２が現在位置している階床を表す階床表示や種々の案内表示を行う。
【００１０】
メインロープ４は、巻上機５のメインシーブ５ａやそらせシーブ５ｂ等に掛けられる。メインロープ４は、一端に乗りかご２が接続され、他端にカウンタウェイト３が接続される。巻上機５は、例えば、動力を発生させる電動機（モータ）５ｃを有する。巻上機５は、電動機５ｃが駆動することで、この電動機５ｃに連結されたメインシーブ５ａが回転駆動する。そして、巻上機５は、メインシーブ５ａとメインロープ４との間に生じる摩擦力を利用してメインロープ４を電動で巻き上げる。
【００１１】
乗場６は、乗りかご２が着床可能な各エレベータ停止階床に設けられる。各乗場６は、それぞれ乗場操作盤９等が設けられる。乗場操作盤９は、利用者による操作入力に応じていわゆる乗場呼び登録等を行う。乗場操作盤９は、いわゆるＨＩＢ（Ｈａｌｌ  Ｉｎｄｉｃａｔｏｒ  Ｂｏｘ）を構成する。乗場操作盤９は、例えば、図３に例示するように、乗場呼び登録ボタン９ａ等が設けられる。乗場呼び登録ボタン９ａは、「上方向矢印」、「下方向矢印」を表すボタン等からなり利用者による乗場呼び登録操作を受け付けるものである。ここでは、乗場操作盤９は、乗場呼び登録ボタン９ａの鉛直方向上側に表示装置１３が組み込まれている。表示装置１３は、乗りかご２が現在位置している階床を表す階床表示や種々の案内表示を行う。
【００１２】
制御装置１０は、通常の形式の双方向コモン・バスにより相互に連結されたＣＰＵ（中央演算処理装置）、ＲＯＭ、ＲＡＭ、バックアップＲＡＭ及び入出力ポート装置を有するマイクロコンピュータ及び駆動回路を備えている。ＲＯＭ（Ｒｅａｄ  Ｏｎｌｙ  Ｍｅｍｏｒｙ）は、所定の制御プログラム等を予め記憶している。ＲＡＭ（Ｒａｎｄｏｍ  Ａｃｃｅｓｓ  Ｍｅｍｏｒｙ）は、ＣＰＵの演算結果を一時記憶する。バックアップＲＡＭは予め用意されたマップデータ、エレベータ１の仕様等の情報を記憶する。制御装置１０は、種々のセンサ、検出器や巻上機５の電動機５ｃ、かご操作盤８、乗場操作盤９等のエレベータ１の各部と電気的に接続され、各部の動作を統括的に制御する。制御装置１０は、例えば、かご操作盤８、乗場操作盤９への利用者からの操作入力に応じて、巻上機５の駆動を制御し、乗りかご２を呼び登録に応じた指定の目的階に移動させる。
【００１３】
上記のように構成されるエレベータ１は、通常運転として、利用者によりかご操作盤８、乗場操作盤９等を介して乗りかご２の呼び操作が行われた場合、下記のように動作する。すなわち、エレベータ１は、かご操作盤８、乗場操作盤９等から制御装置１０にこれに応じたかご呼び登録信号、乗場呼び登録信号が入力される。そして、エレベータ１は、制御装置１０がこのかご呼び登録信号、乗場呼び登録信号に応じて乗りかご２のかご呼び登録、あるいは、乗場呼び登録を行う。そして、制御装置１０は、かご呼び登録、乗場呼び登録、種々のセンサ、検出器からの出力、乗りかご２の現在の移動方向（昇降方向）等に基づいて、乗りかご２が合理的に移動しながらそれぞれの呼びに応答するように乗りかご２の着床順序を定める。そして、制御装置１０は、巻上機５を駆動制御し、乗りかご２を目的の階床へと移動させる。これにより、エレベータ１は、乗りかご２が昇降路７内を鉛直方向上下に昇降移動し、任意の目的階の乗場６に移動する。そして、エレベータ１は、乗りかご２が目的階の乗場６に着床し、所定の着床位置に着床したことが検出されると、その後、制御装置１０が乗りかご２及び乗場６の扉１１を開放する。これにより、乗場６で待機している利用者は、乗りかご２内に乗り込むことが可能となり、また、乗りかご２内の利用者は乗場６に降りることが可能となる。
【００１４】
そして、本実施形態のエレベータ用保守点検装置１００は、図４に示すように、切替操作部材としての切替スイッチ１４と、乗場６に設けられる上述の表示装置（表示灯）１３と、表示装置１３を制御する上述の制御装置１０とを備えることで、保守点検時の作業性向上を図っている。
【００１５】
切替スイッチ１４は、エレベータ１の乗りかご２内に設置されるかご操作盤８の内部、又は、乗場６に設置される乗場操作盤９の内部に設けられる。図４の例では、切替スイッチ１４は、かご操作盤８の内部、及び、乗場操作盤９の内部の両方に設けられるものとして図示しているがどちらか一方であってもよい。かご操作盤８の内部に設けられる切替スイッチ１４は、ここでは、開閉式のスイッチボックス８ｄの内部に設けられている。乗場操作盤９の内部に設けられる切替スイッチ１４は、ここでは、乗場呼び登録ボタン９ａが設けられている着脱式のフェースプレートの背面側に内蔵されている。なお、乗場操作盤９の内部に設けられる切替スイッチ１４は、各乗場６の乗場操作盤９の内部にそれぞれ設けられていてもよいし、所定の階床の乗場６（例えば、エレベータ１のサービスの基準となる基準階）の乗場操作盤９の内部に限定して設けられていてもよい。
【００１６】
各切替スイッチ１４は、通常モードと作業モードとを切り替え可能である。ここで、通常モードとは、上述したようにエレベータ１の通常運転を行うモードである。一方、作業モードとは、通常運転を休止し、エレベータ１の保守点検を行う際に選択されるモードである。作業モードでは、通常モードと比較して、様々な制限が設けられる。切替スイッチ１４は、ＯＮされると作業モードＯＮ信号を制御装置１０に送信し、ＯＦＦされると作業モードＯＦＦ信号を制御装置１０に送信する。
【００１７】
表示装置１３は、上述したように、乗りかご２が現在位置している階床を表す階床表示や種々の案内表示を行う。ここでは、表示装置１３は、乗場操作盤９に組み込まれているものとして説明するがこれに限らず、乗場操作盤９とは別体に構成されるものであってもよい。
【００１８】
そして、制御装置１０は、切替スイッチ１４によって通常モードから作業モードに切り替えられた際に、表示装置１３を制御し、図３に例示する階床表示から、図５に例示する作業中表示に切り替える。ここでは、制御装置１０は、作業員によってスイッチボックス８ｄ、又は、乗場呼び登録ボタン９ａのフェースプレートが開けられ切替スイッチ１４がＯＮに操作されると、当該切替スイッチ１４から作業モードＯＮ信号を受信する。そして、制御装置１０は、作業モードＯＮ信号を受信すると、運転モードを通常モードから作業モードに切り替える。制御装置１０は、作業モードでは、通常運転を休止すると共に、通常モードの場合と比較して、乗りかご２の昇降速度を相対的に低くする低速運転に切り替える。作業員は、作業モードでは、例えば、乗りかご２のかご上床面に設けられた操作装置等を用いて手動にて低速運転で乗りかご２を昇降させることができる。そして、制御装置１０は、表示装置１３の表示を、階床表示から作業中表示に切り替える。図３に例示する階床表示では、表示装置１３は、乗りかご２が現在位置している階床（図３の例では１階を表す「１」の数字。）を表示する。一方、図５に例示する作業中表示では、表示装置１３は、現在通常運転を休止し、保守点検作業中であることを表す文字列（図５の例では「作業中」の文字列。）を表示する。
【００１９】
このとき、制御装置１０は、表示装置１３を制御し、作業中表示を、階床表示とは異なる表示態様としてもよい。制御装置１０は、作業中表示を、階床表示とは異なる表示態様とする場合には、階床表示に対して作業中表示の文字の色をアピール色（赤等の利用者の注意をひく色）に変更するようにしてもよいし、階床表示（点灯表示）に対して作業中表示を点滅させて目立たせるようにしてもよい。
【００２０】
一方、制御装置１０は、切替スイッチ１４によって作業モードから通常モードに切り替えられた際に、表示装置１３を制御し作業中表示（図５参照）から階床表示（図３参照）に切り替える。ここでは、制御装置１０は、作業員によって切替スイッチ１４がＯＦＦに操作され、当該切替スイッチ１４から作業モードＯＦＦ信号を受信すると、運転モードを作業モードから通常モードに復帰させる。そして、制御装置１０は、表示装置１３の表示を、作業中表示から階床表示に切り替える。
【００２１】
また、本実施形態の制御装置１０は、監視センタ５０にも接続されている。監視センタ５０は、例えば、エレベータ１が設置されている建物外の遠隔地に設けられており、種々のネットワーク等を介して上記制御装置１０に接続されている。
【００２２】
そして、制御装置１０は、切替スイッチ１４によって通常モードから作業モードに切り替えられた際に、当該監視センタ５０に作業モードである旨を発報する。ここでは、制御装置１０は、作業員によって切替スイッチ１４がＯＮに操作され、当該切替スイッチ１４から作業モードＯＮ信号を受信すると、監視センタ５０に、エレベータ１が作業モードである旨を表す作業モード信号を送信する。監視センタ５０は、制御装置１０から作業モード信号を受信すると、当該作業モード信号を送信した制御装置１０のエレベータ１を、作業モードとして監視する。これにより、監視センタ５０は、通常監視を一時休止し、当該エレベータ１の監視に伴う発報であって保守点検作業では不要な種々の発報や種々の故障発報等を一時的に無効化し抑制する。
【００２３】
一方、制御装置１０は、切替スイッチ１４によって作業モードから通常モードに切り替えられた際に、当該監視センタ５０に通常モードである旨を発報する。ここでは、制御装置１０は、作業員によって切替スイッチ１４がＯＦＦに操作され、当該切替スイッチ１４から作業モードＯＦＦ信号を受信すると、監視センタ５０に作業モードを終了する通常モード信号を送信する。監視センタ５０は、制御装置１０から通常モード信号を受信すると、当該通常モード信号を送信した制御装置１０のエレベータ１の作業モードによる監視を終了し、通常監視に復帰する。これにより、監視センタ５０は、当該エレベータ１の監視に伴う種々の発報を一時的に無効化し抑制した状態から、当該種々の発報を行う状態に復帰する。
【００２４】
次に、図６のフローチャートを参照して、エレベータ用保守点検装置における制御の一例を説明する。図６に示す制御フローは、例えば、所定の間隔で繰り返し実行される。
【００２５】
まず、制御装置１０は、切替スイッチ１４がＯＮされ作業モードＯＮ信号を受信したか否か、すなわち、切替スイッチ１４が通常モードから作業モードに切り替えられたか否かを判定する（ステップＳ１）。
【００２６】
制御装置１０は、切替スイッチ１４がＯＮされ作業モードＯＮ信号を受信したと判定した場合（ステップＳ１：Ｙｅｓ）、すなわち、切替スイッチ１４が通常モードから作業モードに切り替えられたと判定した場合、下記の処理を行う。すなわち、制御装置１０は、表示装置１３を制御し作業中表示とすると共に監視センタ５０に作業モード信号を送信し作業モードである旨を発報する。これにより、監視センタ５０は、当該作業モード信号を送信した制御装置１０のエレベータ１を、作業モードとして監視する（ステップＳ２）。制御装置１０は、もともと表示装置１３を作業中表示、監視センタ５０を作業モードによる監視としていた場合には、この状態を継続すればよい。
【００２７】
次に、制御装置１０は、切替スイッチ１４がＯＦＦされ作業モードＯＦＦ信号を受信したか否か、すなわち、切替スイッチ１４が作業モードから通常モードに切り替えられたか否かを判定する（ステップＳ３）。制御装置１０は、切替スイッチ１４がＯＦＦされておらず作業モードＯＦＦ信号を受信していないと判定した場合（ステップＳ３：Ｎｏ）、すなわち、切替スイッチ１４が作業モードで維持されている場合、ステップＳ２の処理に戻って以降の処理を繰り返し実行する。
【００２８】
制御装置１０は、ステップＳ１にて、切替スイッチ１４がＯＮされておらず作業モードＯＮ信号を受信していないと判定した場合（ステップＳ１：Ｎｏ）、ステップＳ３にて、切替スイッチ１４がＯＦＦされ作業モードＯＦＦ信号を受信したと判定した場合（ステップＳ３：Ｙｅｓ）、下記の処理を行う。すなわち、制御装置１０は、表示装置１３を制御し階床表示とすると共に監視センタ５０に通常モード信号を送信し通常モードである旨を発報する。これにより、監視センタ５０は、当該通常モード信号を送信した制御装置１０のエレベータ１を、通常監視し（ステップＳ４）、この制御フローを終了する。制御装置１０は、もともと表示装置１３を階床表示、監視センタ５０を通常監視としていた場合には、この状態を継続すればよい。
【００２９】
上記のように構成されるエレベータ用保守点検装置１００は、切替スイッチ１４によって作業モードに切り替えられた際に乗場６の表示装置１３を作業中表示とする一方、切替スイッチ１４によって通常モードに切り替えられた際に表示装置１３を階床表示とする。この結果、作業員は、切替スイッチ１４を介して１回のスイッチ操作を行うことで、階床表示と作業中表示とを切り替えることができるので、保守点検作業の前に各乗場６に点検札等を掛けて回る必要がなく、また、作業後に各乗場６の点検札等を回収する必要がない。したがって、エレベータ用保守点検装置１００は、保守点検作業において点検札の設置、回収にかかる時間を削減することができるので、保守点検作業に要する作業時間を短縮することができる。この結果、エレベータ用保守点検装置１００は、保守点検時の作業性を向上することができる。このとき、エレベータ用保守点検装置１００は、作業中表示を階床表示とは異なる表示態様とし、作業中表示を階床表示より目立ち易くすることで、エレベータ１の利用者に対して作業中であることを分かり易く周知することができる。また、エレベータ用保守点検装置１００は、切替スイッチ１４がかご操作盤８の内部、又は、乗場操作盤９の内部に設けられることから、保守点検作業時以外の通常運転を行っている際に利用者の邪魔にならないように隠蔽することができる。
【００３０】
さらに、エレベータ用保守点検装置１００は、切替スイッチ１４によって作業モードに切り替えられた際に監視センタ５０に作業モードであることを発報する一方、切替スイッチ１４によって通常モードに切り替えられた際に監視センタ５０に通常モードであることを発報する。この結果、作業員は、切替スイッチ１４を介して１回のスイッチ操作を行うことで、作業モードと通常モードとの切り替えを監視センタ５０に伝達することができる。したがって、エレベータ用保守点検装置１００は、容易に短時間で保守点検作業では不要な種々の発報を一時的に抑制する状態と、発報を抑制しない状態とを切り替えることができ、また、その連絡をするための通信費も削減することができる。この点でも、エレベータ用保守点検装置１００は、保守点検時の作業性を向上することができる。
【００３１】
以上で説明したエレベータ用保守点検装置１００によれば、切替スイッチ１４と、表示装置１３と、制御装置１０とを備える。切替スイッチ１４は、エレベータ１の乗りかご２内に設置されるかご操作盤８の内部、又は、乗場６に設置される乗場操作盤９の内部に設けられる。切替スイッチ１４は、エレベータ１の通常運転を行う通常モードとエレベータ１の保守点検を行う際に選択される作業モードとを切り替え可能である。表示装置１３は、乗場６に設けられ、階床表示を行う。制御装置１０は、切替スイッチ１４によって通常モードから作業モードに切り替えられた際に、表示装置１３を制御し階床表示から作業中表示に切り替える。また、制御装置１０は、切替スイッチ１４によって作業モードから通常モードに切り替えられた際に、表示装置１３を制御し作業中表示から階床表示に切り替える。また、制御装置１０は、作業中表示を、階床表示とは異なる表示態様とする。さらに、制御装置１０は、監視センタ５０に接続されており、切替スイッチ１４によって通常モードから作業モードに切り替えられた際に、当該監視センタ５０に作業モードである旨を発報する。また、制御装置１０は、切替スイッチ１４によって作業モードから通常モードに切り替えられた際に、当該監視センタに通常モードである旨を発報する。したがって、エレベータ用保守点検装置１００は、保守点検作業に要する作業時間を短縮することができるので、保守点検時の作業性を向上することができる。
【００３２】
なお、上述した実施形態に係るエレベータ用保守点検装置は、上述した実施形態に限定されず、特許請求の範囲に記載された範囲で種々の変更が可能である。
【００３３】
以上の説明では、表示装置１２、１３は、それぞれかご操作盤８、乗場操作盤９に組み込まれているものとして説明したが、これに限らず、かご操作盤８、乗場操作盤９とは別体に構成されてもよい。
【００３４】
エレベータ用保守点検装置１００は、切替スイッチ１４によって通常モードから作業モードに切り替えられた際に、表示装置１３の表示内容の変更に加えて、さらに、乗場６に設けられるスピーカによって、作業中である旨のアナウンスを行うようにしてもよい。
【００３５】
以上で説明した制御装置１０は、切替スイッチ１４によって通常モードから作業モードに切り替えられた際に、すぐに作業モードに切り替えて表示装置１３の表示内容を変更するのではなく、現在登録されている全ての呼び登録に応答した後に切り替えるようにしてもよい。
【００３６】
また、エレベータ用保守点検装置１００は、例えば、切替スイッチ１４の戻し忘れを防止するべく、一旦、通常モードから作業モードに切り替えられた後、保守点検作業に応じた所定時間経過後に作業員に対して所定の注意喚起を行うようにしてもよい。この場合、制御装置１０は、例えば、表示装置１２、１３を制御して、作業モードから通常モードへの切り替えを促し、作業モードから通常モードへの戻し忘れを抑制するような案内を行ってもよい。
【００３７】
以上で説明した実施形態、変形例に係るエレベータ用保守点検装置によれば、保守点検時の作業性を向上することができる。
【００３８】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３９】
１    エレベータ
２    乗りかご
６    乗場
８    かご操作盤
９    乗場操作盤
１０    制御装置
１２、１３    表示装置
１４    切替スイッチ（切替操作部材）
５０    監視センタ
１００    エレベータ用保守点検装置
【図１】
2015044673.tif 000003
【図２】
2015044673.tif 000004
【図３】
2015044673.tif 000005
【図４】
2015044673.tif 000006
【図５】
2015044673.tif 000007
【図６】
2015044673.tif 000008